(57)【要約】本発明は、ストラップを、例えばブラジャーやビキニである衣類に固定するのに使用する連結具に関するものである。連結具は、衣類の本体に固定されるようになっているスライドウェイと、ストラップに連結可能なスライダーと、を備えている。スライダーは、スライドウェイとスライド係合するための形及び寸法を有しており、また、スライドウェイに沿ったどの位置でも取り外し可能に固定されるよう動作可能であるのが好ましい。
2005526190.tif 000002
【特許請求の範囲】
【請求項１】
衣類にストラップを固定するのに使用する連結具であって、
衣類に固定されるようになっているスライドウェイと、
ストラップに連結可能なスライダーと、からなっており、
スライダーが、スライドウェイとスライド係合するための形及び寸法を有していることを特徴とする連結具。
【請求項２】
スライダーが、スライドウェイに沿ったどの位置でも取り外し可能に固定されるよう、操作可能である、請求項１記載の連結具。
【請求項３】
スライダーが、クランプを備えており、
クランプが、スライダーをスライドウェイに固定するために、少なくとも部分的に付勢されてスライドウェイと係合している、請求項１又は２に記載の連結具。
【請求項４】
クランプがスライダーに回転可能に取り付けられており、
クランプが、スライドウェイに係合する第１端部と、第２端部と、を備えており、
第２端部が、スライダーをスライドウェイに沿って移動できるようにスライドウェイから第１端部を外すために、動かすことができるものである、請求項３記載の連結具。
【請求項５】
スライドウェイが、スライダーが連結可能であるレールと、スライドウェイを衣類に固定するためにレールから突出しているスカートと、からなっている、上記請求項のいずれかに記載の連結具。
【請求項６】
スライダーをスライドウェイから取り外すことができる、上記請求項のいずれかに記載の連結具。
【請求項７】
スライドウェイが、実質的に、断面平べったいものである、上記請求項のいずれかに記載の連結具。
【請求項８】
レールが実質的に円筒状であり、スライダーがレールの回りに係合可能であり、それ故、スライダーのレール接触表面が実質的に準環状である、請求項７記載の連結具。
【請求項９】
スライドウェイが、弾性的に変形可能な材料、最も好ましくはプラスチック又はゴムで、少なくとも部分的に形成されている、上記請求項のいずれかに記載の連結具。
【請求項１０】
スライダーのスライドウェイ接触表面が、高い摩擦係数を有している、上記請求項のいずれかに記載の連結具。
【請求項１１】
スライダーが、少なくとも部分的に金属で形成されており、該金属の上に保護コーティングを備えている、上記請求項のいずれかに記載の連結具。
【請求項１２】
保護コーティングが、実質的には断熱性である、請求項１１記載の連結具。
【請求項１３】
ストラップが固定された衣類であって、
ストラップの少なくとも一端が、上記請求項のいずれかの連結具によって固定されていることを特徴とする衣類。
【請求項１４】
衣類がブラジャーである、請求項１３記載の衣類。
【請求項１５】
衣類が、水着又はその一部である、請求項１３記載の衣類。
【請求項１６】
衣類が、ドレスである、請求項１３記載の衣類。
【発明の詳細な説明】
【発明の詳細な説明】
【０００１】
本発明は、ストラップを衣類に固定するための連結具に関するものであり、特に、ストラップを衣類に固定する位置を望むように変えることができる連結具に関するものである。本発明は、主として、ブラジャーストラップなどでの使用を意図しているが、それに限るものではなく、１つ以上のストラップを有するどんな衣類にも適用できるものである。
【０００２】
ブラジャーのストラップが衣料品によって隠されないで目に見えてしまうことにより、特定のトップ（上半身に着る服）やドレスにおいては、ブラジャーと共に着用するのが適切でない場合がしばしばある。そのような衣料品としては、例えば、ホールターネックのトップ／ドレス、ショルダーレスのトップ／ドレス、広がったオープンネック又は背部を有するトップ／ドレス、又は、ショルダーストラップの上にそれ自身を有するトップ／ドレスを含んでいる。
【０００３】
上記の問題に対しては、多くの半成功的な解決策があるが、これらの解決策は、未だに多くの難点を有しており、それ故、多くの目的にとって、大変、望ましくなく且つ不適切なままである。そのような１つの解決策は、ストラップレスブラジャーである。それは、肩掛けストラップを備えていないので、上述の問題を解消するが、不快性や、しばしば悪装着感を、もたらすという他の問題を生じさせる。特に、ストラップがないために、そのようなブラジャーは支持がかなり減っており、それ故、特に長期間の着用において、不快である。しかも、支持がないことを補おうと試みると、ストラップブラジャーは、多くの場合、アンダーワイヤーによる支持を増やすデザインとなり、それは、着用時の不快感を増すことになる。
【０００４】
上記問題に対する他の解決策は、ストラップを見えにくくして、ストラップを実際には隠さない衣類と共にブラジャーを着用できるようにするために、一般にはプラスチックである透明な材料で、ブラジャーストラップを製造することである。しかしながら、透明であるにも拘わらず、これらのブラジャーストラップは、特に近距離において、明白に目に見えたままであり、それ故、多くの女性にとっては、望ましくないものである。しかも、これらのストラップは、一般にはプラスチックで製造されているので、肩に食い込んだり、更には通気性に欠けるために発汗を生じさせたりして、着用するのがかなり不快なものとなる。また、これらのプラスチックストラップは、従来の繊維ストラップに比して、耐久性がかなり悪く、圧力で壊れやすい。
【０００５】
関連する問題が、ビキニトップやサントップのストラップに存在している。それらのストラップの位置は、変えることができないので、日光浴の時にストラップの跡ができてしまい、それは、殆どの女性にとって甚だ望ましくないものである。それについての唯一の真の解決策は、肩に掛けないストラップを着用することであるが、それによれば、再び、ストラップレスブラジャーと同じ問題が生じる。
【０００６】
従って、本発明の目的は、上述した問題の解決策を提供することである。
【０００７】
本発明の更なる目的は、ストラップを衣類に固定するのに使用する連結具であって、ストラップを衣類に固定する位置を変えることができる連結具、を提供することである。
【０００８】
本発明の更に別の目的は、１つ以上のストラップを有し、各ストラップの少なくとも一端がそのような連結具によって衣類に固定されている、衣類、を提供することである。
【０００９】
従って、本発明は、第１の態様において、ストラップを衣類に固定するのに使用する連結具を提供する。その連結具は、衣類へ固定されるようになっているスライドウェイと、ストラップに連結可能なスライダーと、を備えている。スライダーは、スライドウェイとスライド係合する形及び寸法を有している。
【００１０】
好ましくは、スライダーは、スライドウェイに沿ったどの位置でも取り外し可能に固定されるよう、操作できるものである。
【００１１】
好ましくは、スライダーは、クランプを備えている。クランプは、スライダーをスライドウェイに固定するために、スライドウェイに対する係合を少なくとも部分的に付勢するものである。
【００１２】
好ましくは、クランプは、スライダーに回転可能に取り付けられている。クランプは、スライダーと係合する第１端部と、第２端部と、を備えている。第２端部は、スライダーがスライドウェイに沿って移動できるよう、第１端部をスライドウェイから外すために、動かすことができるものである。
【００１３】
好ましくは、スライドウェイは、スライダーが連結可能なレールと、スライドウェイを衣類に固定するためにレールから突出しているスカートと、を備えている。
【００１４】
好ましくは、スライダーは、スライドウェイから外すことができる。
【００１５】
好ましくは、スライドウェイは、断面が実質的には平べったいものである。
【００１６】
好ましくは、レールは、実質的には円筒形のものである。スライダーは、レールの回りに係合できる。それ故、スライダーのレール接触表面は、実質的には準環状のものである。
【００１７】
好ましくは、スライドウェイは、弾性的で変形可能な材料で、少なくとも部分的に形成されている。材料としては、プラスチックやゴムが最も好ましい。
【００１８】
好ましくは、スライダーのスライドウェイ接触表面は、高い摩擦係数を有している。
【００１９】
好ましくは、スライダーは、少なくとも部分的に金属で形成されており、その上に保護コーティングを備えている。
【００２０】
好ましくは、保護コーティングは、実質的には断熱性のものである。
【００２１】
本発明の第２の態様によれば、本発明の第１の態様による連結具によって、ストラップが少なくとも一端にて固定された衣類を備えている。
【００２２】
好ましくは、衣類は、ブラジャー、水着、ドレスのようなものである。
【００２３】
ここで用いられるように、「スライドウェイ」という言葉は、軌道を構成する細長い要素を意味することを意図しており、他の要素や物体が軌道に沿って運行できるものである。該物体は、好ましくは、軌道に沿って動くためにスライドウェイによって拘束されている。
【００２４】
ここで用いられるように、「スライダー」という言葉は、上述で定義したようなスライドウェイの上を走るようになっている、物体や要素、を意味することを意図している。スライダーは、好ましくは、スライドウェイに沿ったどんな位置においても取り外し可能に固定されるようになっている。
【００２５】
ここで使用されるように、「平べったい」という言葉は、幅広くて好ましくは狭い端部と、幅狭で薄い基部と、を有する形を意味することを意図している。
【００２６】
ここで本発明を添付図面を参照して説明する。
図１は本発明の第１の態様の連結具の第１実施形態の側断面図である。
図２は本発明の連結具のスライドウェイ形成部分の第１実施形態の断面斜視図である。
図３は図１の連結具の正面図である。
図４は本発明の第１の態様の連結具を組み込んだ、本発明の第２の態様の衣類の正面図である。
図５は本発明の第１の態様の第２実施形態の分解斜視図である。
図６はスライダーが開状態にある場合の図５の連結具のスライダー形成部分の側面図である。
図７は閉状態における図６のスライダーの側面図である。
【００２７】
添付図面の図１から図４には、符号１０で概ね示される本発明の連結具の第１実施形態が示されている。連結具１０は、例えば、添付図面の図４に示されるようなブラジャー１２のような衣類に、ストラップ３６を一端又は両端で固定するのに使用することを意図している。連結具に固定されている１つ以上のストラップ（図示せず）を有する衣類（図示せず）に使用するのに、連結具１０が適していることは、連結具１０の構造及び作用の以下の記載から明らかである。連結具１０の構造及び作用を記載するために、以下の記載は、ブラジャー１２に対する連結具１０の使用を述べることに限定しているが、ブラジャー１２への言及は、もちろん、本発明の範囲をそのような使用に限定するものではないと理解できる。
【００２８】
連結具１０は、基本的には、スライドウェイ１４とスライダーとからなっており、スライドウェイ１４は、以下に詳細に説明するように、使用中、ブラジャー１２に固定されているものであり、スライダーは留め金２２の形を有しており、留め金２２は、スライドウェイ１４にスライド係合するようになっている。ブラジャー１２は、その中心で対称であるので、ブラジャー１２の一方の側に関する連結具１０の構造及び作用を述べることで十分である。図４からわかるように、各ストラップ３６は、カップ３８及び背部４０の両方でブラジャー１２に固定されており、ストラップ３６の各端は連結具１０によって固定されている。しかしながら、各ストラップ３６の両端が連結具１０によって固定されていることが必要ではないことは、理解される。連結具１０は、各ストラップ３６の一端又は他端だけに設けることができる。
【００２９】
図示された実施形態において、スライドウェイ１４は、好ましくは円筒形状のレール１６と、レール１６から突出したスカート１８と、からなっている。スカート１８は、レール１６に比して、比較的薄いものであり、概ね平面の構造を有している。スカート１８は、スライドウェイ１４をブラジャー１２に固定させるために設けられており、それ故、その長手方向に沿って複数の開口２０を備えている。開口２０は、図４に示されるように、各カップ３８の上方リムと各背部４０の上縁との両方に沿って、ブラジャー１２に対して、スライドウェイ１４が縫われたり或いは固定されたりするようにしている。各スライドウェイ１４は、示されているようにブラジャー１２に固定される必要は無い。また、これらの位置が、単にアンカーストラップが取り付けられる従来のポイントにすぎないこと、また、ストラップ３６をブラジャー１２に固定するための最も適した場所であると一般に考慮されること、は理解できるものである。他の衣類（図示せず）にとって、もちろん、代わりの位置を、当該衣類に最も良く合わせるために選択できることも、理解できる。
【００３０】
スライドウェイ１４が、スカート１８及び開口２０を備える必要が無いこと、及び、ブラジャー１２にスライドウェイ１４を固定する他の手段を利用できることは、更に、明らかである。スライドウェイ１４は、例えば、スライドウェイ１４の各端部でブラジャー１２に簡単に固定できるが、これはもちろん、図示されている実施形態のそれよりも、低い支持を提供する。
【００３１】
図１及び図３を参照すると、留め金２２は、スライドウェイ１４のレール１６の回りに係合されるような、及び、留め金２２がスライドウェイ１４に沿ってスライドできるような、形及び寸法を備えている。留め金２２は、本体２４を備えている。本体２４には、クランプ２６がクランプ軸３４回りに回転可能に取り付けられている。クランプ２６は、顎部２８を備えている。顎部２８は、本体２４の対向部分と共に概ね準環状の接触面を形成しており、その接触面は、使用中、外向きに突出したスカート１８を有するスライドウェイ１４のレール１６の回りに係合している。留め金２２は、また、スプリング３２を有している。スプリング３２は、顎部２８をレール１６へ係合するように付勢するよう配置して設けられており、その結果、スライドウェイ１４に対して留め金２２を固定するためのクランプ作用を発揮する。
【００３２】
クランプ２６は、更に、アーム３０を備えている。アーム３０は、図に示す実施形態では、スプリング３２が境を接している顎部２８に対してクランプ軸３４の押付側にある。しかしながら、顎部２８をレール１６に接触させるために、他の適切な手段を使用できることは、即座に理解できる。アーム３０は、顎部２８をレール１６との接触から離すことができるよう、スプリング３２の作用に抗して、本体２４の方向に向けて、手で押圧することができる。従って、アーム３０をそのように押圧している間は、留め金２２は、アーム３０が解放されるまでスライドウェイ１４に沿って好きなだけスライドできることが、理解できる。それ故、留め金２２は、スライドウェイに沿った留め金２２の位置を変えることができるよう、選択的に操作できる。ストラップ３６が留め金２２に固定されているので、連結具１０を形成している留め金２２及びスライドウェイ１４の配置は、ストラップ３６がブラジャー１２に固定されている位置を、所定の衣料品や衣料スタイル（図示せず）に適合させるために、変えることができる。
【００３３】
図示している実施形態では、スライドウェイ１４が、レール１６を備えており、その回りに留め金２２が係合しているが、他のいかなる形や適切な構造のスライドウェイ（図示せず）を適切に協働する留め金（図示せず）と共に設けることができることは、理解できる。例えば、縦方向に配置されたスロットやキー溝（図示せず）が中に設けられたスライドウェイ（図示せず）を、設けることができる。そのスロットやキー溝の中には、留め金（図示せず）の相当する形及び寸法の部分がスライド可能に係合できる。また、留め金２２が、レール１６を積極的に掴んだり係合したりするようなばね式である必要が無いこと、及び、顎部２８及び本体２４が両者間で相対移動を許容することなく互いに一体に形成できること、は容易に理解できる。そのような構造では、使用中に留め金とスライドウェイ（図示せず）との間の移動を実質的に防止できるように、使用中にストラップ（図示せず）のテンションが留め金のレール接触表面をレールに対してきっちりと引き付けるように、留め金（図示せず）はレール（図示せず）の回りにぴったり合うための形及び寸法を有するべきである。
【００３４】
複合形態からなるスライドウェイ（図示せず）を設けることができることも、考えられる。例えば、レール（図示せず）は、金属、プラスチック、ゴムなどで形成できるが、スカート（図示せず）は、例えば、レース、ライクラβ、ゴム紐などのような繊維で形成できる。スカートを繊維で形成することは、装着者の身体の凹凸に合わせるために、スカートを伸ばしたり曲げたりできる。そして、この構造は、望むように変えられる繊維の色やスタイルと共に装飾品として使用できる。
【００３５】
図示されている実施形態では、スライドウェイ１４は、快適なフィットを提供するよう、装着者の身体の凹凸に従うために変形できるように、例えば柔らかいプラスチックやゴムのような弾性的に変形可能な材料で形成するのが、好ましい。従って、留め金２２のレール接触表面は、顎部２８がレール１６に接触している間、留め金２２とスライドレール１４との間の相対移動を使用中に実質的に除去できるように、高い摩擦係数を備えていることが、好ましい。
【００３６】
再び図４を参照すると、ブラジャー１２は、各カップ３８を各背部４０に結合させるサイド４２を備えていることがわかる。サイド４２は、好ましくは、快適性と適合性のために、ブラジャー１２に対してある程度の柔軟性及び弾力性を提供するような弾性材料で形成されるのが、好ましい。従って、各カップ３８上のスライドウェイ１４は、各サイド４２を跨いで、各背部４０に固定されたスライドウェイ１４に（或いは一体に形成されて）接することが、考えられる。
【００３７】
留め金２２が、各スライドウェイ１４のどちらか一方の自由端へスライドすると、留め金２２は、スライドウェイ１４を滑り落ちることができ、それによって、ストラップ３６はブラジャーから取り外すことができることは、明らかである。従って、着用される固有の衣料品に合わせるために、例えば、形、色などの点で異なっているストラップ（図示せず）を代用できることが、理解できる。同様に、ストラップ３６は、必要な場合に、対のストラップ３６を前又は後で互いに交差させるように、一方のカップ３８から外して隣りのカップ３８に固定することができる。同様に、背部４０でスライドウェイ１４に固定された留め金２２は、ストラップ３６が装着者の肩から落ちるのを防止するよう、サイド４２方向に内向きに移動できる。クリップ（図示せず）などのような取り外し可能な閉鎖部材（図示せず）の幾つかの形態を、スライドウェイ１４の一端又は両端に設けることができ、その閉鎖部材が、スライドウェイ１４に係合して、スライドウェイ１４から留め金２２が不意に外れるのを防止できることは、理解できる。閉鎖部材は、留め金２２をスライドウェイ１４の端部から引き出させるためにスライドウェイ１４の端部から外れることができる。
【００３８】
図示の実施形態では、ブラジャー１２からストラップ３６を外すように、留め金２２をレール１６との係合から引き出させる距離だけ顎部２８を開かせないで、留め金２２をレール１６に沿ってスライドさせるために、顎部２８がレール１６との係合から軽く引き出されるだけの程度まで、アーム３０を押圧することができるのが、好ましい。
【００３９】
図５から図７には、概ね符号１１０で示される、本発明の第２実施形態の連結具、が示されている。それは、一端又は両端でストラップ（図示せず）を衣類（図示せず）に固定するのに使用することを意図している。この第２実施形態では、同様の要素は、同様の符号が付されており、他に述べない限り、同様の機能を発揮する。連結具は、基本的には、スライドウェイ１１４とスライダーとを備えている。スライドウェイ１１４は、使用中、衣類（図示せず）に固定される。スライダーは、留め金１２２の形を有しており、スライドウェイ１１４にスライド係合するようになっている。
【００４０】
この第２実施形態では、スライドウェイ１１４は、従来のジッパーの片方と、レール１１６を構成する複数の歯を有するスライドウェイ１１４と、スカート１１８と、によって構成されており、スカート１１８は、多くの従来のジッパーと同様に、繊維で形成されるのが好ましい。スカート１１８は、図４に示されるブラジャー１２のような衣類にスライドウェイ１１４を固定させる。従来のジッパーと同様に、縫い目１２０は、スライドウェイ１１４を衣類に固定するのに利用できるが、他の適切な手段を使用できることは、もちろん、理解できる。従って、スライドウェイ１１４は、使用中、実質的に可撓性であり、連結具１１０が使用される種々の形やスタイルの衣類に合わせるために、変形できる。
【００４１】
留め金１２２は、レール１１６回りに主として係合し、それに沿って円滑にスライドするような、形及び寸法を有している。留め金１２２は、本体１２４を備えている。本体１２４には、クランプ１２６が回転自在に取り付けられている。クランプ１２６は、第１実施形態と同様に、留め金１２２をスライドウェイ１１４に沿ったどの位置でも固定するよう、操作可能である。図５では、クランプ１２６は、本体１２４及びクランプ１２６の両方の種々の特徴を明確にするために、本体１２４から離して示されている。本体１２４は、後壁４４及び前壁４６によって構成されている。該両壁は、例えば金属や合成物である材料の１枚シートで形成されるのが好ましい。両壁の間には、広がったチャンネル４８及び比較的狭いネック５０が構成されており、それらは、スライドウェイ１１４の断面を大雑把に映している。チャンネル４８はレール１１６を受け入れるための形及び寸法を有しているが、ネック５０はスカート１１８を受け入れるよう設けられている。スカート１１８の端部は、使用中、ネック５０を越えて突出しており、以下に詳述するように、衣類に固定されている。ネック５０は、レール１１６がネックを通過するのを防止するような寸法を有しており、従って、使用中、留め金１２２は、スライドウェイ１１４に沿って移動するよう拘束されている。
【００４２】
前壁４６は、一対のピン１３４に加えて、その中に窓５２を備えている。一対のピン１３４は、共にクランプ軸を構成しており、使用中、クランプ１２６は、クランプ軸回りにヒンジで取り付けられている。クランプ１２６は、対向配置された一対の側壁５４を備えている。各側壁は、１つの開口５６を備えている。開口５６は、使用中、留め金１２２を形成するためにクランプ１２６を本体１２４にヒンジ固定するために、各ピン１３４を受け入れる。図６及び図７からわかるように、クランプ１２６は、それから外向きに突出している顎部１２８を備えている。顎部１２８は、使用中、窓５２を通って突出し、従って、ネック５０内に位置している。本体１２４と同様に、クランプ１２６は、簡単に曲げたり形に押し込んだりされる、適切な金属や合成物のような材料の、１枚又は１個、で形成されるのが好ましく、それによって、製造のコストや時間を低減する。
【００４３】
ここで特に図６及び図７を参照すると、スライドウェイ１１４が明確性のために省略されており、留め金１２２は、スライドウェイ１１４が存在しない横から示されている。図６では、クランプ１２６は、顎部１２８が後壁４４から離れて配置されている第１の開状態に位置している。レール１１６がチャンネル４８内に着座しているが、スカート１１８が、使用中、後壁４４と顎部１２８との間を通過することは、理解できる。従って、クランプ１２６が開状態にある時、留め金１２２は、スライドウェイ１１４に沿って所望の位置へ移動自在である。
【００４４】
図７を参照すると、クランプ１２６は、顎部１２８が後壁４４に圧接している第２の閉状態に、上向きにヒンジ接続されている。この状態では、使用中、スカート１１８が、後壁４４と顎部１２８との間にしっかりとクランプされており、それによって、スライドウェイ１１４と留め金１２２との間の相対移動を防止している。顎部１２８と後壁４４との間の締まりばめは、クランプ１２６が閉状態にある時は、クランプ１２６が閉状態にロックされたままであることを、確実にする。更に、連結具１１０が、２つの部分、即ち、お互いから別に別れる衣類及びストラップ（図示せず）、を共に固定するよう働くので、連結具１１０は、使用中に留め金１２２に対してスライドウェイ１１４を下向きに引くよう作用する力を、受ける。スライドウェイ１１４のスカート１１８が顎部１２８に接触しているので、この力は、クランプを図７に示す閉状態に維持する方向に、スカート１１８によって、顎部１２８を支持する。留め金１２２を取り外すために、クランプ１２６は、開状態に簡単に手動で動かされ、そこでは、留め金１２２は、スライドウェイ１１４に沿って、選択的な位置に移動できる。従って、第１実施形態と同様に、留め金１２２は、スライドウェイ１１４に沿った留め金１２２の位置の変化を可能とするように、選択的に操作できる。
【００４５】
留め金１２２は、ストラップ（図示せず）を適切な手段によって留め金１２２に固定するために、後壁４４から上向きに突出するフック５８と、フック５８内に固定されるリング６０と、を備えている。使用中、ストラップが留め金１２２に固定されているので、留め金１２２及びスライドウェイ１１４の配置は、ストラップが衣類に固定される位置を、理由の如何に拘わらず、変えることが可能である。
【００４６】
留め金２２、１２２は、金属又は他の熱伝導材料で形成されると、部分的に又は全体的に、適切な断熱コーティング（図示せず）を備えることができる。そして、上記コーティングの色及び／又は外見は、連結具１０、１１０が固定される衣類（図示せず）の固有の色やスタイルに合わせるために、選択できる。
【００４７】
更に好ましい特徴としては、連結具１０、１１０は、衣類上に位置する時（図示せず）は、使用中に人の皮膚から連結具１０、１１０を隔てるように、好ましくは繊維である材料からなる２つのストリップの間に、挟むことができる。好ましい配置は、対のストリップが、スライドウェイ１４、１１４及び従って当該衣類（図示せず）に対して、スカート１８、１１８の基部にて、好ましくは開口２０及び縫い目１２０の各々によって、ストリップのエッジに沿って固定されている場合である。各ストリップの対向エッジ（図示せず）は、スライドウェイ１４、１１４又は衣類（図示せず）に対して固定されておらず、従って、対のストリップ（図示せず）は、スライドウェイ１４、１１４がその中に配置されている断面Ｖ型の閉鎖を構成している。
【００４８】
このように上記記載から理解できることは、本発明の連結具１０、１１０が１つ以上のストラップ（図示せず）を備えたどんな衣類（図示せず）にも使用できることである。衣類としては、例えば、水着、下着、ドレス、トップ、運動着などがある。また、本発明の連結具１０、１１０は、実際には、他のどんな適切な用途、例えば医学的な用途にも、使用できる。
【図面の簡単な説明】
【００４９】
【図１】本発明の第１の態様の連結具の第１実施形態の側断面図である。
【図２】本発明の連結具のスライドウェイ形成部分の第１実施形態の断面斜視図である。
【図３】図１の連結具の正面図である。
【図４】本発明の第１の態様の連結具を組み込んだ、本発明の第２の態様の衣類の正面図である。
【図５】本発明の第１の態様の第２実施形態の分解斜視図である。
【図６】スライダーが開状態にある場合の図５の連結具のスライダー形成部分の側面図である。
【図７】閉状態における図６のスライダーの側面図である。
【図１】
2005526190.tif 000003
【図２】
2005526190.tif 000004
【図３】
2005526190.tif 000005
【図４】
2005526190.tif 000006
【図５】
2005526190.tif 000007
【図６】
2005526190.tif 000008
【図７】
2005526190.tif 000009
【手続補正書】
【提出日】平成17年5月24日(2005.5.24)
【手続補正１】
【補正対象書類名】特許請求の範囲
【補正対象項目名】全文
【補正方法】変更
【補正の内容】
【特許請求の範囲】
【請求項１】
少なくとも１つのストラップ、及び、衣類にストラップを固定するのに使用する連結具、を備えた衣類であって、
連結具が、衣類に固定されるようになっているスライドウェイと、ストラップに連結可能なスライダーと、からなっており、
スライダーが、スライドウェイとスライド係合するための形及び寸法を有していることを特徴とする衣類。
【請求項２】
スライダーが、スライドウェイに沿ったどの位置でも取り外し可能に固定されるよう、操作可能である、請求項１記載の衣類。
【請求項３】
スライダーが、クランプを備えており、
クランプが、スライダーをスライドウェイに固定するために、少なくとも部分的に付勢されてスライドウェイと係合している、請求項１又は２に記載の衣類。
【請求項４】
クランプがスライダーに回転可能に取り付けられており、
クランプが、スライドウェイに係合する第１端部と、第２端部と、を備えており、
第２端部が、スライダーをスライドウェイに沿って移動できるようにスライドウェイから第１端部を外すために、動かすことができるものである、請求項３記載の衣類。
【請求項５】
スライドウェイが、スライダーが連結可能であるレールと、スライドウェイを衣類に固定するためにレールから突出しているスカートと、からなっている、上記請求項のいずれかに記載の衣類。
【請求項６】
スライダーをスライドウェイから取り外すことができる、上記請求項のいずれかに記載の衣類。
【請求項７】
スライドウェイが、実質的に、断面平べったいものである、上記請求項のいずれかに記載の衣類。
【請求項８】
レールが実質的に円筒状であり、スライダーがレールの回りに係合可能であり、それ故、スライダーのレール接触表面が実質的に準環状である、請求項７記載の衣類。
【請求項９】
スライドウェイが、弾性的に変形可能な材料、最も好ましくはプラスチック又はゴムで、少なくとも部分的に形成されている、上記請求項のいずれかに記載の衣類。
【請求項１０】
スライダーのスライドウェイ接触表面が、高い摩擦係数を有している、上記請求項のいずれかに記載の衣類。
【請求項１１】
スライダーが、少なくとも部分的に金属で形成されており、該金属の上に保護コーティングを備えている、上記請求項のいずれかに記載の衣類。
【請求項１２】
保護コーティングが、実質的には断熱性である、請求項１１記載の衣類。
【請求項１３】
衣類がブラジャーである、上記請求項のいずれかに記載の衣類。
【請求項１４】
衣類が、水着又はその一部である、上記請求項のいずれかに記載の衣類。
【請求項１５】
衣類が、ドレスである、上記請求項のいずれかに記載の衣類。
【国際調査報告】
2005526190.tif 000010
2005526190.tif 000011
2005526190.tif 000012